(57)【特許請求の範囲】
【請求項１】
幅方向の両端に板状の側部材が前後方向に沿って設けられた基体と、
一対の前記側部材の間に設けられた座部クッション体及び一方の面が背凭れ面で、他方の面がベッド面となる背部クッション体と、
鉤状の一対の取付け部材を有し、この取付け部材の一辺と他辺とによって前記背部クッション体の上下方向の下側の部分の幅方向の両端面と前記座部クッション体の幅方向の両端面を回動可能に連結した連結手段と、
前記背部クッション体を前記取付け部材を介して一対の前記側部材に回動可能かつ斜め上下方向に移動可能に支持した回転支持手段と、
前記背部クッション体を前記背凭れ面が前方に向けて起立した状態から前記回転支持手段によって前方へ倒伏させて前記ベッド面を上にしたときに、前記背部クッション体に連動する前記座部クッション体の前端部を前記側部材の前端部側の上部から斜め下方にガイドして前記ベッド面を上にして倒伏した前記背部クッション体の下方に移動させるガイド手段と、
前記背部クッション体が前記背凭れ面を前方に向けた起立状態と、前記ベッド面を上にした倒伏状態とのいずれかの状態にあるとき、前記背部クッション体が回動するのを阻止する一方、回動が阻止された前記背部クッション体を強制的に回動させて前記回転支持手段によって支持された箇所で斜め上方向に移動させることで、前記背部クッション体の阻止された回動を解除する係止手段と
を具備したことを特徴とするソファーベッド装置。
【請求項２】
前記回転支持手段は、前記側部材の前記取付け部材の角部と対応する部分に下端側が後方に向かって低く傾斜して形成された第１のガイド溝と、前記取付け部材の角部に設けられ前記第１のガイド溝に移動可能に係合した第１の係合部材によって形成され、
前記ガイド手段は、前記側部材の前端部側の上部から下部に向かって低く傾斜して形成された第２のガイド溝と、前記座部クッション体の前端部側に設けられて前記第２のガイド溝に移動可能に係合した第２の係合部材によって形成され、
前記係止手段は、一端が前記側部材の下部に位置し、他端が上部に位置するよう前記側部材の後端部側に設けられ、前記一端と他端との間で下方に向かって凸となる円弧状に湾曲形成されて前記一端には下方に向かって屈曲した第１の係合部、前記他端に後方に向かって屈曲した第２の係合部が形成された第３のガイド溝と、前記背部クッション体の下端部に設けられて前記第３のガイド溝に移動可能に挿通され前記背部クッション体を起立させたときに前記第１の係合部に係合し前記背部クッション体を倒伏させたときに前記第２の係合部に係合する第３の係合部材によって形成されていることを特徴とする請求項１記載のソファーベッド装置。
【請求項３】
前記背部クッション体の下端部には一辺が前記背部クッション体の下端部に連結され他辺を前記背凭れ面の前方に突出させた前記取付け部材が設けられ、
前記取付け部材の他辺の先端部が前記座部クッション体に回動可能に連結されて前記連結手段を構成し、
前記取付け部材の一辺の下端部に前記第３の係合部材が設けられていることを特徴とする請求項２記載のソファーベッド装置。
【請求項４】
前記取付け部材の他辺と前記基体との間には、前記背部クッション体が起立した状態でこの背部クッション体を倒伏方向に付勢するとともに、前記背部クッション体を倒伏させる途中で反転して倒伏した状態では前記背部クッション体を起立方向に付勢する付勢手段が張設されていることを特徴とする請求項２記載のソファーベッド装置。
【請求項５】
前記背部クッション体は、平面形状が矩形状のマットレスと、このマットレスの前記背凭れ面となる一方の面の下端部を除く部分に設けられたクッション部材とによって構成されていて、前記マットレスと前記クッション部材は外装地によって一体的に被覆されていることを特徴とする請求項１記載のソファーベッド装置。
【発明の詳細な説明】
【技術分野】
【０００１】
この発明はソファーとベッドとの相互変換が可能なソファーベッド装置に関する。
【背景技術】
【０００２】
たとえば、一般家庭やホテルなどではソファーとベッドとの相互変換が可能なソファーベッド装置を設け、宿泊客が予定数以上に増えたときなどに、前記ソファーベッド装置をベッドとして利用することで、対応するということが行われる。
【０００３】
このようなソファーベッド装置としては、たとえば特許文献１に示される構成のものが採用されている。  
すなわち、従来のソファーベッド装置は矩形枠状に形成された基体を有する。この基体の一対の側板の内面にはそれぞれヒンジ機構が設けられている。このヒンジ機構はベースプレートを有し、このベースプレートには第１乃至第３のリンクの一端が枢着されている。なお、第１のリンクは、くの字状に屈曲形成され、他のリンクは直線状に形成されている。
【０００４】
第１、第２のリンクの他端は第１の連結板に枢着され、前記第３のリンクの他端は第２の連結板に枢着されている。前記第１の連結板と第２の連結板の一端は回動可能に連結されている。
【０００５】
一対の前記第１の連結板は背部クッション体を構成する背部フレームの幅方向両端に連結され、一対の前記第２の連結板は座部クッション体を構成する座部フレームの幅方向両端に連結されている。
【０００６】
前記ベースプレートと前記座部フレームとの間には第１の引張ばねが張設され、前記第２のリンクと前記第３のリンクとの間には第２の引張ばねが張設されている。
【０００７】
それによって、前記背部クッション体と座部クッション体は、前記第１のリンクがくの字状に屈曲していることで、前記第１の引張ばねの付勢力に抗して前記基体上でともに水平に倒伏した状態に維持されている。
【０００８】
その状態で、前記背部クッション体を前記第１のリンクとともに上昇方向、つまり起立方向に回動させれば、前記座部クッション体の後端側が低く傾斜しながら後方へ移動し、その傾斜状態で前記基体の内部に設けられた受け部材によって支持される。
【０００９】
つまり、水平に倒伏した状態である、ベッドの状態にあった前記背部クッション体と座部クッション体は、前記背部クッション体が起立して前記座部クッション体が後方に向かって低く傾斜した状態、つまりソファーの状態に変換されるようになっている。
【先行技術文献】
【特許文献】
【００１０】
【特許文献１】特許第２９１２８３９号公報
【発明の概要】
【発明が解決しようとする課題】
【００１１】
ところで、上述した従来のソファーベッド装置によると、前記基体に対して前記背部クッション体と座部クッション体をリンク機構によって連結することで、前記背部クッション体と座部クッション体をベッド或いはソファーの状態に変換できるようにしている。
【００１２】
前記リンク機構はベースプレートや複数のリンク、さらには一対の連結板を有するため、部品点数が多くなるということがある。それによって、全体の構成が複雑化し、コスト上昇や組立て作業の煩雑化を招くということがあった。
【００１３】
しかも、ベッドとして利用するときには、前記背部クッション体と座部クッション体を水平に並べてベッド面とするため、前記背部クッション体と座部クッション体の隣り合う箇所につなぎ目が生じ、全体が均一なベッド面が得られず、寝心地が低下するということもあった。
【００１４】
この発明は、部品点数を少なくして構成の簡略化や組立て作業の容易化を図るとともに、全体が均一な状態のベッド面を得ることができるソファーベッド装置を提供することにある。
【課題を解決するための手段】
【００１６】
この発明は、幅方向の両端に板状の側部材が前後方向に沿って設けられた基体と、
一対の前記側部材の間に設けられた座部クッション体及び一方の面が背凭れ面で、他方の面がベッド面となる背部クッション体と、
鉤状の一対の取付け部材を有し、この取付け部材の一辺と他辺とによって前記背部クッション体の上下方向の下側の部分の幅方向の両端面と前記座部クッション体の幅方向の両端面を回動可能に連結した連結手段と、
前記背部クッション体を前記取付け部材を介して一対の前記側部材に回動可能かつ斜め上下方向に移動可能に支持した回転支持手段と、
前記背部クッション体を前記背凭れ面が前方に向けて起立した状態から前記回転支持手段によって前方へ倒伏させて前記ベッド面を上にしたときに、前記背部クッション体に連動する前記座部クッション体の前端部を前記側部材の前端部側の上部から斜め下方にガイドして前記ベッド面を上にして倒伏した前記背部クッション体の下方に移動させるガイド手段と、
前記背部クッション体が前記背凭れ面を前方に向けた起立状態と、前記ベッド面を上にした倒伏状態とのいずれかの状態にあるとき、前記背部クッション体が回動するのを阻止する一方、回動が阻止された前記背部クッション体を強制的に回動させて前記回転支持手段によって支持された箇所で斜め上方向に移動させることで、前記背部クッション体の阻止された回動を解除する係止手段と
を具備したことを特徴とするソファーベッド装置にある。
【発明の効果】
【００１７】
この発明によれば、起立状態或いは倒伏状態にある前記背部クッション体を異なる状態に回動させたとき、その回動に前記座部クッション体が連動するよう移動させる構造であるから、リンク機構を用いずにソファーとベッドとの相互変換を可能とすることができ、しかもベッドとして利用するとき、前記座部クッション体を倒伏した前記背部クッション体の下方に移動させ、前記背部クッション体のベッド面だけを利用するため、全体が均一な状態のベッド面として利用することができる。
【図面の簡単な説明】
【００１８】
【図１】この発明の一実施の形態を示すソファーベッド装置をソファーに変換した状態の斜視図。
【図２】基体を断面したソファーベッド装置の側面図。
【図３】基体に設けられた一対の側部材を示す一部断面した正面図。
【図４】側部材の正面図。
【図５】ソファーの状態にある座部クッション体と背部クッション体を示す図。
【図６】ソファーからベッドに変換するために背部クッション体を倒伏方向に回動させて第３のガイド溝の第１の係合部から第３の係合部材を外した状態を示す図。
【図７】ソファーからベッドに変換する途中の状態にある座部クッション体と背部クッション体を示す図。
【図８】ソファーからベッドに変換された座部クッション体と背部クッション体を示す図。
【発明を実施するための形態】
【００１９】
以下、この発明の一実施の形態を図面を参照しながら説明図する。
【００２０】
図１はソファーベッド装置１がソファーＳに変換された状態を示している。前記ソファーベッド装置１は図２と図３に示すように基体２を備えている。この基体２は、所定間隔で離間対向して配置された矩形板状の一対の側部材３を有する。つまり、一対の側部材３は前記基体２の幅方向の両端に配置されている。なお、前記側部材３は金属や合成樹脂、或いは木材などの材料によって作られている。
【００２１】
一対の前記側部材３の前端側は前側連結板４によって連結され、後端側は後側連結板５によって連結されている。それによって、前記基体２は平面形状が矩形枠状に形成されている。
【００２２】
なお、前記前側連結板４は前記側部材３の高さ寸法に比べて小さい高さ寸法に形成され、前記後側連結板５は前記側部材３と同じ高さ寸法に形成されている。さらに、前記側部材３には、下端の前後方向の両端にそれぞれ脚部材６ａが設けられ、外面側には前記側部材３に比べて高さ寸法が大きい肘掛け体６ｂが設けられている。
【００２３】
前記基体２の一対の側部材３間には、これら側部材３間の間隔に比べてわずかに小さな幅寸法を有する座部クッション体７と背部クッション体８とが幅方向の両端を一対の前記側部材３に、以下に述べるよう構成によって移動可能に支持されて配置されている。
【００２４】
すなわち、図４に示すように前記側部材３の前後方向中途部の上部には、下端側が後方に向かって低く傾斜した、長孔状の第１のガイド溝１１が形成されている。前記側部材３の前端部側には、上部から中途部の下部に向かって低く傾斜した第２のガイド溝１２が形成されている。
【００２５】
さらに、前記側部材３には、一端が前記側部材３の前後方向の中途部の下部に位置し、他端が後端部側の上部に位置し、前記一端と他端との間で下方に向かって凸となる円弧状に湾曲した第３のガイド溝１３が形成されている。この第３のガイド溝１３の前記一端には下方に向かってＬ字状に屈曲した第１の係合部１５が形成され、前記他端には後方に向かってＬ字状に屈曲した第２の係合部１６が形成されている。
【００２６】
図２と図３に示すように、前記座部クッション体７の前端部側の幅方向両端面には第２の係合部材としての第２のローラ１７が回転可能に取付けられている。この第２のローラ１７は前記側部材３に形成された前記第２のガイド溝１２に移動可能に係合支持されている。前記第２のガイド溝１２と前記第２のローラ１７とでガイド手段を構成している。
【００２７】
図２に示すように、前記背部クッション体８はシングルサイズのベッド用のマットレス１８の幅方向を上下方向にして用いられている。前記マットレス１８の一方の面の下端部と中途部を除く部分にはクッション部材１９が設けられている。なお、前記マットレス１８と前記クッション部材１９は外装地によって一体的に被覆一体化されている。
【００２８】
後述するように、前記背部クッション体８の前記クッション部材１９が設けられた一方の面は背凭れ面８ａとして利用され、他方の面はベッド面８ｂとして利用される。
【００２９】
図２に示すように、前記背部クッション体８の前記背凭れ面８ａの前記クッション部材１９が設けられた部分よりも下側の部分の幅方向の両端面には鋼板などの板材を鉤状（Ｌ字状）に形成した取付け部材２１の一辺がねじ２１ａによって取付け固定されている。
【００３０】
前記取付け部材２１の他辺の先端部は、前記座部クッション体７の幅方向の端面の前後方向中途部に支軸２２によって回動可能に連結されている。それによって、前記背部クッション体８を回動させると、前記座部クッション体７が連動するようになっている。前記取付け部材２１と前記支軸２２とで連結手段を構成している。
【００３１】
前記取付け部材２１の角部には第１の係合部材としての回転可能な第１のローラ２３が設けられている。この第１のローラ２３は前記側部材３の前後方向の中途部の上部に形成された前記第１のガイド溝１１に移動可能に係合している。
【００３２】
前記第１のガイド溝１１と前記第１のローラ２３とによって前記背部クッション体８を前記基体２の一対の側部材３間に回動可能に支持した回転支持手段を構成している。つまり、前記第１のローラ２３は前記第１のガイド溝１１に回転可能に、しかも前記第１のガイド溝１１に沿って斜め方向に上下動可能に支持されている。
【００３３】
なお、前記第１のガイド溝１１は前記第２、第３のガイド溝１２，１３に比べて十分に短い長さ寸法に形成されている。この実施の形態では、前記第１のガイド溝１１は前記第３のガイド溝１３の両端に形成された前記第１、第２の係合部１５，１６の長さ寸法とほぼ同じ或いはわずかに長く形成されている。
【００３４】
前記取付け部材２１の一辺の端部、図２では一辺の下部には第３の係合部材としての第３のローラ２４が回転可能に設けられている。前記第３のローラ２４は前記側部材３の前記第３のガイド溝１３に移動可能に係合支持されている。
【００３５】
図２或いは図５に示すように前記背部クッション体８が前記背凭れ面８ａを前方に向けて起立状態にあるとき、前記第１のローラ２３は前記第１のガイド溝１１の下端に位置し、前記第３のローラ２４は前記第３のガイド溝１３の一端である下端に形成された第１の係合部１５に係合している。
【００３６】
それによって、前記背部クッション体８は起立した状態から前方へ倒伏する方向へ自由に回動するのが阻止されている。
【００３７】
図２に示すように、前記取付け部材２１の前記支軸２２が設けられた他辺の先端部と、前記基体２の前端部側の底部との間には付勢手段としての引張ばね２５が張設されている。この引張ばね２５は起立した状態で保持された前記背部クッション体８を、前記取付け部材２１を介して倒伏方向に付勢している。
【００３８】
前記第３のローラ２４と前記第１の係合部１５との係合によって起立状態で倒伏不能に保持された前記背部クッション体８を、前方へ倒伏させる方向へ強制的に回動させると、前記背部クッション体８に前記取付け部材２１を介して一体的に設けられた前記第１のローラ２３が図６に矢印ａで示すように、前記第１のガイド溝１１の下端から上端まで移動する。つまり、前記背部クッション体８は前記第１のローラ２３とともに前記第１のガイド溝１１に沿って斜め上方へ移動する。
【００３９】
それによって、前記第３のガイド溝１３の下端の前記第１の係合部１５に係合した前記第３のローラ２４が図６に示すように前記第１の係合部１５から外れるから、前記背部クッション体８を図６に示す状態から図７に矢印ｂで示す倒伏方向へ回動させることができる。
【００４０】
前記背部クッション体８を図６に示す状態から図７に状態まで倒伏させる際、前記背部クッション体８には前記引張ばね２５の復元力が作用するから、前記背部クッション体８を軽い力で倒伏させることができる。そして、前記背部クッション体８が図７に示す状態まで倒伏すると、前記引張ばね２５は復元力が発生しない長さまで収縮する。
【００４１】
前記背部クッション体８を図７に示す状態まで倒伏させると、前記第３のローラ２４が前記第３のガイド溝１３の中途部まで移動する。さらに、前記前記背部クッション体８を図７に示す状態から図８に示すように、前記前記背部クッション体８の前記ベッド面８ｂが上を向いて水平となる状態となるまで回動させると、前記第３のローラ２４が前記第３のガイド溝１３の上方向へ移動し、前記第３のガイド溝１３の上端に形成された前記第２の係合部１６に対向する。
【００４２】
前記第３のローラ２４が前記第３のガイド溝１３の前記第２の係合部１６に対向する位置まで、前記背部クッション体８が倒伏すると、図８に矢印ｃで示すように前記第１のローラ２３が前記第１のガイド溝１１に沿って斜め下方へ移動するから、その動きに前記背部クッション体８が連動する。
【００４３】
それによって、前記第３のローラ２４が前記第３のガイド溝１３の前記第２の係合部１６に係合するから、前記背部クッション体８は前記ベッド面８ｂを上にした水平な状態で回動不能に保持される。つまり、前記ソファーベッド装置１がソファーＳの状態から、ベッドＢの状態に変換された状態で保持される。
【００４４】
前記背部クッション体８が図７に示す状態から図８に示す状態へ倒伏すると、前記引張ばね２５は引張力が生じていない状態から引き伸ばされて復元力が生じた状態に反転する。それによって、ほぼ水平に倒伏した前記背部クッション体８には、この背部クッション体８を起立方向に付勢する付勢力が加わることになる。
【００４５】
このとき、前記第３のローラ２４は前記第２の係合部１６に係合しているから、前記背部クッション体８が前記引張ばね２５の付勢力によって起立方向へ回動するのが阻止される。
【００４６】
図８に示すように、ベッドＢに変換されたソファーベッド装置１をソファーＳに変換するには、倒伏した前記背部クッション体８を起立方向へ強制的に回動させる。それによって、前記第１のローラ２３が前記第１のガイド溝１１を斜め上方へ移動し、その移動に前記背部クッション体８が連動するから、前記第３のローラ２４が前記第２の係合部１６から外れる。
【００４７】
前記第２の係合部１６から外れた前記第３のローラ２４は、図７に示すように前記第３のガイド溝１３に沿って下方へ移動するから、前記背部クッション体８を起立方向へ回動させることができる。
【００４８】
このとき、前記引張ばね２５は復元力によって前記背部クッション体８を起立方向に付勢するから、前記背部クッション体８を比較的軽い力で起立させることができる。前記背部クッション体８を図７に示す状態まで起立させると、前記引張ばね２５の復元力がなくなる。
【００４９】
前記背部クッション体８を図７に示す状態から、図６に示す状態を経て図５に示す状態まで起立させると、前記引張ばね２５に再度、復元力が加わるから、起立した前記背部クッション体８に倒伏方向の付勢力が作用することになる。
【００５０】
一方、前記背部クッション体８を図５に示す起立した状態から、倒伏させる方向へ回動させると、前記背部クッション体８に設けられた前記取付け部材２１の一辺の先端部に前記支軸２２によって中途部が回転可能に連結された前記座部クッション体７が連動する。
【００５１】
図７に示すように前記座部クッション体７が前記背部クッション体８の倒伏方向の回動に連動すると、前記座部クッション体７の前端部に設けられた前記第２のローラ１７が前記第２ガイド溝１２に沿って斜め後方に下降する。それと同時に、前記支軸２２によって前記取付け部材２１の一辺に連結された中途部が下方へ引き下げられながら、後方へ移動させられる。
【００５２】
それによって、前記座部クッション体７は図７に示す状態を経て図８に示すように、水平に倒伏した前記背部クッション体８の下面側に移動することになるから、前記ソファーベッド装置１をベッドＢとして利用する際、前記背部クッション体８の１つの前記ベッド面８ｂだけを利用することになる。
【００５３】
つまり、前記背部クッション体８の前記ベッド面８ｂだけをベッドとして利用する構成であるから、前記座部クッション体７を前記背部クッション体８と並べ、２つの面をベッドとして利用する従来に比べ、快適なベッド面８ｂを有するベッドとして利用することができる。
【００５４】
しかも、ベッドＢとして利用する際、前記座部クッション体７は前記背部クッション体８の下面側に隠れるから、前記座部クッション体７によって前記ベッドＢの外観が損なわれるということもない。
【００５５】
このように、上述したソファーベッド装置１は、前記基体２の一対の側部材３に第１乃至第３のガイド溝１１〜１３を形成し、前記座部クッション体７の端面に設けられた第２のローラ１７を前記第２のガイド溝１２に移動可能に係合させた。
【００５６】
前記背部クッション体８の端面に一体的に設けられた前記取付け部材２１に、前記第１のローラ２３を設け、前記第１のローラ２３を前記第１のガイド溝１１に移動可能に係合させるようにした。
【００５７】
前記取付け部材２１に設けられた第３のローラ２３を前記第３のガイド溝１３に移動可能に係合させるとともに、前記取付け部材２１を介して座部クッション体７と前記背部クッション体８を、前記背部クッション体８の起伏方向の回動に対して前記座部クッション体７が連動するよう前記支軸２２によって連結するようにした。
【００５８】
このような構成によって、前記背部クッション体８を起上状態から倒伏方向へ回動させたり、倒伏状態から起上方向へ回動さることで、前記ソファーベッド装置１をソファーＳからベッドＢ、或いはベッドＢからソファーＳに変換することができる。
【００５９】
つまり、上述したように側部材３に形成した第１乃至第３のガイド溝１１〜１３と、各ガイド溝１１〜１３に移動可能に係合した第１乃至第３のローラ２３，１７，２４によってソファーＳからベッドＢ、或いはベッドＢからソファーＳに変換できるようにしたことで、従来のリンク機構を用いる構成に比べ、部品点数の減少や構成の簡略化、さらには組み立て作業の容易化を図ることができる。
【００６０】
前記ソファーベッド装置１をソファーＳからベッドＢに変換すると、前記背部クッション体８が前記ベッド面８ｂを上にして水平に保持され、前記座部クッション体７は前記背部クッション体８の下面側に格納される。
【００６１】
前記背部クッション体８の前記ベッド面８ｂはシングルサイズの前記マットレス１８の面によって形成されている。つまり、前記ベッド面８ｂは１つの面によって形成されている。
【００６２】
そのため、前記ベッド面８ｂの性能を前記マットレス１８と同等の性能とすることができるから、２つの面を並べてベッド面とする従来構造に比べ、ベッド面８ｂの性能を向上させることができる。つまり、寝心地のよいベッド面８ｂを得ることができる。
【００６３】
前記ソファーベッド装置１をベッドＢとして利用する際、前記座部クッション体７は前記背部クッション体８の下面側に格納される。そのため、前記座部クッション体７がベッドＢの外観を低下させるということがない。
【００６４】
しかも、前記座部クッション体７を斜め下方へ移動させ、前記背部クッション体８の下面側に格納して前記ベッドＢとするため、前記背部クッション体８を前記座部クッション体７の上面に重ねてベッドに変換する従来の方式に比べ、ベッドＢに変換されたときのベッド面８ｂの床面からの高さ低くすることができる。
【００６５】
それによって、利用者は前記ベッドＢのベッド面８ｂに乗り降りし易くなるということがある。
【００６６】
前記第３のローラ２４が移動可能に係合した前記第３のガイド溝１３の一端と他端には、それぞれ前記第１の係合部１５と前記第２の係合部１６が形成されている。一方、前記座部クッション体７が起立状態にあるときには前記座部クッション体７に設けられた前記第３のローラ２４を前記第１の係合部１５に係合させ、前記座部クッション体７が倒伏状態にあるときには前記第３のローラ２４を前記第２の係合部１６に係合させるようにしている。
【００６７】
そのため、前記ソファーベッド装置１を、前記座部クッション体７を起立させた前記ソファーＳの状態と、前記座部クッション体７を水平に倒伏させた前記ベッドＢの状態とでそれぞれ確実に保持することができる。
【００６８】
前記背部クッション体８の前記取付け部材２１に設けられた、前記背部クッション体８を前記側部材３に対して回動可能に支持する前記第１のローラ２３を、前記側部材３に形成した長孔状の第１のガイド溝１１に係合させるようにした。
【００６９】
そのため、前記背部クッション体８が起立した状態、或いは水平に倒伏した状態で、前記第３のローラ２４が前記第１の係合部１５或いは前記第２の係合部１６に係合して保持されていても、前記背部クッション体８を前記第３のローラ２４と前記第１の係合部１５或いは前記第２の係合部１６とが係合したことによって生じた保持力に抗して回動させれば、前記背部クッション体８を斜め上方へ移動させて前記第３のローラ２４と前記第１の係合部１５或いは前記第２の係合部１６との係合を強制的に外すことができる。
【００７０】
つまり、前記背部クッション体８を起立させた状態や倒伏させた状態で、ストッパなどを用いて回動不能に保持したり、その保持状態を解除するなどの操作が不要であるから、前記背部クッション体８の倒伏方向或いは起立方向への回動操作を、ワンタッチで容易に行うことができる。
【００７１】
前記背部クッション体８と前記基体２の底部との間には前記引張ばね２５が張設されている。前記引張ばね２５は前記背部クッション体８が起立した状態で前記背部クッション体８を倒伏方向に付勢し、前記背部クッション体８を倒伏方向へ回動させるにつれへ付勢力が減少し、その倒伏角度が所定以上となると、前記引張ばね２５は反転して引張力が増大するようになっている。
【００７２】
そのため、前記背部クッション体８を倒伏させるときや、倒伏した前記背部クッション体８を起立させるときには、前記背部クッション体８に前記引張ばね２５の付勢力が加わるから、前記背部クッション体８の回動操作を軽い力で容易に行うことが可能となる。
【００７３】
前記一実施の形態では前記背部クッション体８と前記基体２の底部との間に前記引張ばね２５を張設し、前記背部クッション体８の回動操作を軽い力で行うことができるようにしたが、前記引張ばね２５を設けなくとも、前記背部クッション体８の回動操作を行うことができる。
【符号の説明】
【００７４】
２…基体、３…側部材、７…座部クッション体、８…背部クッション体、１１…第１のガイド溝（回転支持手段）、１２…第２のガイド溝（ガイド手段）、１３…第３のガイド溝、１５…第１の係合部、１６…第２の係合部、１７…第２のローラ（第２の係合部材）、２１…取付け部材（連結手段）、２２…支軸（連結手段）、２３…第１のローラ（第１の係合部材）、２４…第３のローラ（第３の係合部材）、２５…引張ばね（付勢手段）。
【図１】
0006503315.tif 000002
【図２】
0006503315.tif 000003
【図３】
0006503315.tif 000004
【図４】
0006503315.tif 000005
【図５】
0006503315.tif 000006
【図６】
0006503315.tif 000007
【図７】
0006503315.tif 000008
【図８】
0006503315.tif 000009